(57)【要約】【課題】画像表示領域に表示される画像の品質を低下させることなく、狭額縁化された表示装置を提供する。【解決手段】表示部６と、光源３と、表示部６と光源３との間に配置され、外周縁部に第１凹部４０１を有する光処理部材４と、光処理部材４の第一面の外周縁部を支持する支持部材２と、光処理部材４の第一面とは異なる第二面側に配置された保持部材５と、第１凹部４０１に収容され保持部材５から突出する第２凸部５２とを備える表示装置Ａ。【選択図】図１
2016029470.tif 000002
【特許請求の範囲】
【請求項１】
表示部と、
光源と、
外周縁部に第１凹部又は第１凸部が形成された光処理部材と、
前記光処理部材の第一面の外周縁部を支持する支持部材と、
前記光処理部材の第一面とは異なる第二面側に配置された保持部材と、
前記支持部材又は前記保持部材に形成され、前記第１凹部に収容される第２凸部又は前記第１凸部を収容する第２凹部とを備える表示装置。
【請求項２】
前記第１凹部又は前記第１凸部は、前記外周縁部の少なくとも一辺に形成されている請求項１に記載の表示装置。
【請求項３】
前記第１凹部又は前記第１凸部は、前記外周縁部の対辺に形成されている請求項１に記載の表示装置。
【請求項４】
前記第１凹部又は前記第１凸部は、前記外周縁部の隣接する辺に形成されている請求項１に記載の表示装置。
【請求項５】
前記第２凸部は、前記保持部材に形成され、前記支持部材に接触する請求項１から請求項４のいずれかに記載の表示装置。
【請求項６】
前記支持部材に孔が形成されており、
前記保持部材には、前記孔に挿入されるボスが設けられている請求項１から請求項５のいずれかに記載の表示装置。
【請求項７】
前記第２凸部は、前記支持部材に形成され、前記保持部材に接触する請求項１から請求項４のいずれかに記載の表示装置。
【請求項８】
前記支持部材は、基板を保持する基板保持部材を含み、
前記第２凸部が、前記基板保持部材に形成される請求項７に記載の表示装置。
【請求項９】
前記支持部材が、前記辺縁部に沿った方向と直交し、且つ、前記第一面に平行な方向の幅を部分的に広げる拡幅部を備え、
前記第２凹部が前記拡幅部に接触する請求項５に記載の表示装置。
【請求項１０】
前記拡幅部に孔が形成されており、
前記保持部材には、前記拡幅部の孔に挿入されるボスが設けられている請求項９に記載の表示装置。
【請求項１１】
前記光処理部材の前記拡幅部と対応する部分には、前記第一面と平行な方向に突出した前記第１凸部を備えている請求項９又は請求項１０に記載の表示装置。
【請求項１２】
前記第１凹部は底面と底面に垂直な内周面とを有する請求項１から請求項８のいずれかに記載の表示装置。
【請求項１３】
前記第１凹部は底面と内周面とを有し、前記内周面は前記底面から離れるにつれて窄まり形状に傾斜している請求項１から請求項８のいずれかに記載の表示装置。
【発明の詳細な説明】
【技術分野】
【０００１】
本発明は、表示装置に関するものである。
【背景技術】
【０００２】
液晶表示装置は、液晶パネルと、前記液晶パネルの背面に配置され、前記液晶パネルに面状光を照射するバックライトとを備えている。前記バックライトは、光源と、前記光源から出射された光の輝度を均斉化する矩形板状の光処理部材を備えている。そして、前記光源、前記光処理部材及び前記液晶パネルが浅底のフレームに取り付けられている。
【０００３】
このような液晶表示装置としては、例えば、特開２０１０−１２３３９８号公報に記載の表示装置がある。特開２０１０−１２３３９８号公報に記載の表示装置では、バックライトシャーシの側壁部には、内側に突出した拡散板載置部と、シートホルダ載置部が設けられている。そして、前記拡散板載置部に辺縁部が支持されるように拡散板を配置するとともに、前記拡散板と重ねて配置する光学シートの周縁部を保持するシートホルダで前記拡散板を押える。そして、フレームでシートホルダを前面から押えることで、前記拡散板及び前記光学シートを位置決めしつつ、しっかり押えている。
【０００４】
また、前記液晶表示装置では、前記バックライトから出射された光（面状光）を前記液晶パネルに正確に照射する必要がある。そこで、前記液晶パネル、前記光源及び前記光学部材（光処理部材）を前記フレームに対して正確に位置決めして取り付けることで、前記液晶パネル、前記光源及び前記光学部材を相対的に正確に位置合わせするものが提案されている（例えば、特開２００４−２５８２３６号公報）。
【０００５】
特開２００４−２５８２３６号公報に記載の電気光学装置では、導光板（光処理部材と同等のもの）及び液晶表示パネルの側面に突起を形成し、フレームに予め設けられている孔に挿入するようになっている。これにより、前記導光板及び前記液晶表示パネルを相対的に位置決めすることができるとともに、前記フレームにしっかり固定することが可能である。
【先行技術文献】
【特許文献】
【０００６】
【特許文献１】特開２０１０−１２３３９８号公報
【特許文献２】特開２００４−２５８２３６号公報
【発明の概要】
【発明が解決しようとする課題】
【０００７】
近年、液晶表示装置の意匠性の向上及び画像表示領域の広さを確保しつつ小型化の要求が高まっており、その要求を満たすため前記画像表示領域の外周部分（額縁部分）を狭くする狭額縁化が提案されている。通常、液晶表示装置では、前記額縁部分で前記光処理部材の外周縁部を支持する支持部分を正面から見えないように隠しており、額縁部分を狭くすると、光処理部材の外周縁部を支持する面積が小さくなり、光処理部材をしっかり保持できなくなる。これにより、前記光処理部材による光の輝度の均斉化が不十分となり、表示映像の品質が低下する恐れがある。
【０００８】
また、特開２０１０−１２３３９８号公報の場合も同様に、さらに狭額縁化を行う場合、拡散板載置部及びシートホルダ載置部を小さくしなくてはならず、前記拡散板及び前記光学シートをしっかり押えることが困難になる。これにより、前記光処理部材による光の輝度の均斉化が不十分となり、表示映像の品質が低下する恐れがある。
【０００９】
また、特開２００４−２５８２３６号公報に記載の電気光学装置のような表示装置では、フレームに金属（板金）を加工したものを用いる場合が多い。板金を加工したフレームの場合、突起を挿入する孔は加工先端部が尖ったいわゆる、シャープエッジとなっている場合が多く、液晶パネルや導光板（光処理部材）が削れてしまい、光漏れや画像表示不良等の不具合の原因となる恐れがある。
【００１０】
本発明は、画像表示領域に表示される画像の品質を低下させることなく、狭額縁化された表示装置を提供することを目的とする。
【００１１】
また本発明は、簡単な構成を有するとともに、光処理部材が削れるのを抑制して安定した高い品質の画像を表示することができる表示装置を提供することを目的とする。
【課題を解決するための手段】
【００１２】
上記目的を達成するために本発明は、表示部と、光源と、外周縁部に第１凹部又は第１凸部が形成された光処理部材と、前記光処理部材の第一面の外周縁部を支持する支持部材と、前記光処理部材の第一面とは異なる第二面側に配置された保持部材と、前記支持部材又は前記保持部材に形成され、前記第１凹部に収容される第２第２凸部又は前記第１凸部を収容する第２凹部とを備える表示装置を提供する。
【００１３】
この構成によると、光処理部材に第１凹部又は第１凸部を設け、前記支持部材又は前記保持部材に前記第１凹部に収容される第２第２凸部又は前記第１凸部を収容する第２凹部を設け、前記第２第２凸部又は前記第２凹部で支持部材又は前記保持部材と接触させている。そして、前記保持部材が前記第２第２凸部又は第２凹部が形成されていない部分で光処理部材を押圧する。
【００１４】
前記光処理部材に第１凹部を設け、前記第１凹部に収容される第２第２凸部で前記支持部材と前記保持部材とを接触させる構成とすることで、前記第２第２凸部が前記第１凹部の凹み方向に幅を有している。これにより、前記支持部材と前記保持部材との接触部分は前記第１凹部の凹み方向に幅がある。例えば、前記第２凸部が前記第１凹部を埋めるような形状の場合、面接触となる。また、前記第２凸部が板状の部材を組み合わせた場合でも（線接触であっても）、前記第２凸部は前記第１凹部の凹み方向に延びる接触部分を有する。つまり、前記第２凸部の前記支持部材又は前記保持部材との接触部分は線接触であっても、接触している部分の形状は前記第１凹部の凹み方向幅を有する二次元的な形状となる。一方、前記第１凹部が形成されない光処理部材を有する場合、前記光処理部材の第一面及び第二面と隣り合う側面に沿うような直線上に延びる第２凸部で前記支持部材と前記保持部材とが接触する、すなわち、一次元的に接触（線接触）する。
【００１５】
前記光処理部材に前記第１凹部を備えない場合、第２凸部が延伸する直線方向と交差する方向に、前記支持部材と前記保持部材とが相対的に移動すると、前記第２凸部と前記支持部材又は前記保持部材とが接触しなくなる場合がある。一方で、第１凹部と第２凸部を備えた構成では、同様に前記支持部材と前記保持部とが相対的に移動しても、前記第２凸部は厚み方向に幅があるため、前記第２凸部は少なくとも一部と前記支持部材又は前記保持部材との接触状態が維持される。これにより、前記第１凹部に収容される前記第２凸部を備える構成を有することで、前記第１凹部及び前記第１凹部に収容される第２凸部を設けない構成に比べて、光処理部材をしっかり挟持することが可能である。以上のことから、狭額縁化しても、バックライトからの光の輝度むらを抑制し、画像の品質低下を抑制することが可能である。
【００１６】
また、前記光処理部材に第１凸部を設け、前記第１凸部を収容する第２凹部で前記支持部材と前記保持部材とを接触させる構成とすることで、前記支持部材と前記保持部材との接触部分が前記第２凹部の凹み方向に幅を有する。これにより、上述と同様に前記第２凹部に収容される前記第１凸部を備える構成を有することで、前記第１凸部及び前記第１凸部を収容する第２凹部を設けない構成に比べて、光処理部材をしっかり挟持することが可能である。以上のことから、狭額縁化しても、バックライトからの光の輝度むらを抑制し、画像の品質低下を抑制することが可能である。
【００１７】
上記構成において、前記光処理部材に形成された第１凹部又は第１凸部は、前記外周縁部の少なくとも一辺に形成されていてもよい。また、前記光処理部材の第１凹部又は第１凸部が複数の辺に形成されていてもよく、例えば、前記外周縁部の対向する辺や、前記外周縁部の隣接する辺或いは全ての辺に形成されていてもよい。
【００１８】
上記構成において、前記第２凸部は、前記保持部材に形成され、前記支持部材に接触するようにしてもよい。このように構成することで、前記表示装置の上部に前記保持部材をひねるようなモーメントが作用しても、前記第２凸部の前記支持部材と接触する部分が前記第１凹部の凹み方向に幅を有することで、モーメントに対抗できる。これにより、前記保持部材をひねるようなモーメントが作用しても、前記保持部材と前記支持部材との接触が維持されるため前記光処理部材がずれたり、外れたりするのを抑制することが可能である。
【００１９】
上記構成において、前記光処理部材が、拡散板と、複数の機能の異なるシートとを含んでいてもよい。
【００２０】
上記構成において、前記光処理部材が、導光板と、複数の機能の異なるシートとを含んでいてもよい。
【００２１】
上記構成において、前記支持部材に孔が形成されており、前記保持部材には、前記孔に挿入されるボスが設けられていてもよい。
【００２２】
この構成によると、ボスを孔に挿入するので、前記保持部材を前記支持部材に固定するときのねじ止めトルクに前記ボス及び前記孔で対抗するため、前記光処理部材に伝達されるのを抑制する。これにより、前記保持部材の取り付け時の光処理部材のずれ、反り等の発生を抑制することができる。
【００２３】
上記構成において、前記第２凸部は、前記支持部材に形成され、前記保持部材に接触するものであってもよい。
【００２４】
上記構成において、前記支持部材は、基板を保持する基板保持部材を含み、前記第２凸部は、前記基板保持部材に形成されてもよい。
【００２５】
この構成によると、樹脂で形成された前記基板保持部と一体に形成された第２凸部で前記光処理部材の位置決めを行う構成である。従来のような、金属製のリヤフレームを加工した第２凸部を用いる場合に比べて、前記第１凹部に応力が集中するのを抑制することができる。これにより、前記光処理部材が削れたり、傷ついたりするのを抑制することができる。
【００２６】
また、このことから、搬送時等に振動や落下の衝撃が作用しても、前記第２凸部と前記第１凹部とがこすれたり、押しつけられたりして、前記光処理部材の削れ、破損等を抑制することが可能である。
【００２７】
上記構成において、前記第２凸部が円柱形状であってもよい。
【００２８】
上記構成において、前記第２凸部が弾性変形可能な支柱部と、前記支柱部の先端に形成されたフック部とを備えており、前記フック部が前記第１凹部の辺縁部と係合するようにしてもよい。
【００２９】
上記構成において、前記支持部材が、前記辺縁部に沿った方向と直交し、且つ、前記第一面に平行な方向の幅を部分的に広げる拡幅部を備え、前記第２凹部が前記拡幅部に接触してもよい。
【００３０】
この構成によると、前記支持部材と前記保持部材とを安定して接触させることができ、前記保持部材を前記支持部材としっかり接触させることができるとともに、前記拡幅部と前記第１凸部とが接触するので前記光処理部材をしっかり押えることができる。
【００３１】
上記構成において、前記拡幅部に孔が形成されており、前記保持部材には、前記拡幅部の孔に挿入されるボスが設けられていてもよい。この構成によると、ボスを拡幅部の孔に挿入するので、前記保持部材を前記支持部材に固定するときのねじ止めトルクに前記ボス及び前記孔で対抗するため、前記光処理部材に伝達されるのを抑制する。これにより、前記保持部材の取り付け時の光処理部材のずれ、反り等の発生を抑制することができる。
【００３２】
上記構成において、前記保持部材には、前記光処理部材の側面と接触するリブが設けられていてもよい。この構成によると、前記保持部材が前記光処理部材を前記支持部材に対して、簡単且つ確実に位置決めすることが可能である。
【００３３】
上記構成において、前記光処理部材の前記拡幅部と対応する部分には、前記第一面と平行な方向に突出した前記第１凸部を備えていてもよい。
【００３４】
上記構成において、前記光処理部材に形成された第１凹部は底面と底面に垂直な内周面とを有してもよい。
【００３５】
上記構成において、前記光処理部材に形成された第１凹部は底面と内周面とを有し、前記内周面は前記底面から離れるにつれて窄まり形状に傾斜していてもよい。
【発明の効果】
【００３６】
本発明によると、画像表示領域に表示される画像の品質を低下させることなく、狭額縁化された表示装置を提供することができる。
【００３７】
また本発明によると、簡単な構成を有するとともに、光処理部材が削れるのを抑制して安定した高い品質の画像を表示することができる表示装置を提供することができる。
【図面の簡単な説明】
【００３８】
【図１】本発明にかかる表示装置の一例である液晶表示装置の分解斜視図である。
【図２】図１に示す液晶表示装置のバックライトの正面図である。
【図３】図２に示すバックライトをIII−III線で切断した断面図である。
【図４】図２に示すバックライトをIＶ−IＶ線で切断した断面図である。
【図５】セルガイドの第２凸部を拡大した概略図である。
【図６】本発明にかかる液晶表示装置の他の例に用いられるバックライトの正面図である。
【図７】発明にかかる液晶表示装置の他の例のバックライトの正面図である。
【図８】図７に示すバックライトに用いるセルガイドの第２凸部の断面図である。
【図９】図７に示すバックライトに用いるセルガイドの第２凸部を拡大した図である。
【図１０】本発明にかかる液晶表示装置のさらに他の例に用いられるバックライトの第２凸部の周囲を拡大した図である。
【図１１】本発明にかかる液晶表示装置の分解斜視図である。
【図１２】バックライトを正面から見た図である。
【図１３】図１２に示すバックライトをＸＩＩＩ−ＸＩＩＩ線で切断した断面図である。
【図１４】図１２に示すバックライトの位置決め部の拡大正面図である。
【図１５】図１２に示すバックライトの位置決め部を拡大した概略斜視図である。
【図１６】本発明にかかる液晶表示装置の他の例の位置決め部を拡大した図である。
【図１７】本発明にかかる液晶表示装置のさらに他の例の位置決め部を拡大した図である。
【図１８】本発明にかかる液晶表示装置のさらに他の例の位置決め部を拡大した図である。
【図１９】本発明にかかる液晶表示装置のさらに他の例の分解斜視図である。
【図２０】図１９に示す液晶表示装置のバックライトの正面図である。
【図２１】図１９に示す液晶表示装置のリヤフレーム、光処理部材及びセルガイドの分解斜視図である。
【図２２】リヤフレームの拡幅部とセルガイドの嵌合部との嵌合を示す拡大した分解斜視図である。
【図２３】液晶表示装置の拡幅部の概略断面図である。
【図２４】液晶表示装置の拡幅部以外の部分の概略断面図である。
【発明を実施するための形態】
【００３９】
（第１実施形態）
以下に本発明の実施形態を図面を参照して説明する。図１は本発明にかかる表示装置の一例である液晶表示装置の上側から見た分解斜視図である。図１に示すように、液晶表示装置Ａは、リヤフレーム１、反射シート２、ＬＥＤランプ３、光処理部材４、セルガイド５（保持部材）、液晶セル６、ベゼル７及び基板ホルダ８（基板保持部材）を有している。なお、リヤフレーム１、反射シート２、ＬＥＤランプ３、光処理部材４及びセルガイド５を組み合わせてバックライトが形成されている。基板ホルダ８はバックライトに取り付けられつつ、液晶セル６と電気的に接続される。
【００４０】
なお、以下の説明において、前面とは、液晶表示装置Ａを組み立てたときに、画像表示領域側（観察者と対向する側）の面であり、図１に示す液晶表示装置において上側の面である。また、後側は、前側と反対面側である。なお、以下の説明において、特段の断りが無い場合、前面或いは前側と説明するときは、図１の状態を基本とする。そして、図１において前面側をＺ方向の正方向とし、液晶表示装置Ａを前側に見たときに、横方向（後述の図２で左右方向）をＸ方向、縦方向（図２で上下方向）をＹ方向として、以下の説明に用いる。また、図２において右側をＸ方向の正方向、上側をＹ方向の正方向としている。
【００４１】
リヤフレーム１は金属板を曲げて形成されたものであり、矩形状の底面部１１と、底面部１１の四辺から突出した立上部１２とを有している。立上部１２は底面部１１と平行で枠状に形成された支持部１２１（支持部材）、と、底面部１１と支持部１２１との間に配置される斜面部１２２とを備えている。支持部１２１は、セルガイド５と光処理部材４の外周縁部を挟んで保持するものである（詳細は後述）。
【００４２】
反射シート２はリヤフレーム１の内面に配置されるものであり、ＬＥＤランプ３から後側に向かって照射された光を前側に向けて反射する。反射シート２は、ここでは、表面が白色のシートを利用しているが、これに限定されるものではなく、ＬＥＤランプ３から出射された光を反射する表面を有するものを採用することができる。また、リヤフレーム１の内面がＬＥＤランプ３から出射された光を反射できる表面を有している場合、反射シート２を省略してもよい。
【００４３】
ＬＥＤランプ３は、反射シート２に２次元配列されており、白色光を出光する素子を含む構成を有している。ＬＥＤランプ３には、電力を供給するための配線（基板）が接続されており、配線は反射シート２の後側に配置されている。これにより、反射シート２と配線との反射率の差による輝度のばらつきを抑制することができる。なお、リヤフレーム１に直接ＬＥＤランプ３を配置するようにしてもよい。
【００４４】
光処理部材４は背面から入射した光を内部で拡散させて輝度を均斉化し前面から出射する拡散する拡散板４１と、拡散板４１の前面に隣接して配置された光学シート４２、４３を備えている。なお、光学シートとしては、拡散板４１の前面から出射した光を更に拡散させる拡散シート、光の進行方向を整えて輝度を上昇させる輝度上昇シート、偏光分離シート、レンズシート等を挙げることができる。また、これらに限定されるものではなく、液晶セル６に入射する光（面状光）の輝度を均斉化するための構造を有するシートを広く採用することができる。さらに、光処理部材４は、２枚の光学シート４２、４３を備えている構成であるが、これに限定されるものではなく、１枚の光学シートを有するものであってもよいし、３枚以上の光学シートを有するものであってもよい。
【００４５】
拡散板４１及び拡散板４１と重ねて配置された光学シート４２、４３とで形成される光処理部材４の背面、すなわち、拡散板４１の背面の外周縁部がリヤフレーム１の支持部１２１と接触している。また、光処理部材４の前面の外周縁部は、セルガイド５と接触している。そして、光処理部材４は、支持部１２１とセルガイド５とで挟まれて保持されている。
【００４６】
セルガイド５は、中央に貫通窓を有する矩形の枠部材であり、光処理部材４の前面の外周縁部を押えるとともに、液晶セル６の背面の外周縁部を保持する。セルガイド５は、リヤフレーム１の立上部１２及び支持部１２１に支持されている光処理部材４の外周を囲む側壁部５１と、側壁部５１から内側に突出した平板状の押え部５２とを有している。側壁部５１は、立上部１２の外周面と接触するように配置される。また、押え部５２には、光処理部材４の支持部１２１に支持されている部分を、前側から支持部１２１に向けて押圧する接触部を備えている。接触部は光処理部材４を傷つけないようにするため、ゴム、シリコン等柔軟性（弾性）のある部材で構成されている。
【００４７】
また、押え部５２のリヤフレーム１と反対側は、液晶セル６の外周縁部を保持するセル保持部５３(後述の図３参照)が形成されている。セルガイド５は後述する係止部５０を、リヤフレーム１の後述する固定部１３にねじ止めすることで固定されている。
【００４８】
液晶セル６は、液晶パネル６１と、液晶パネル６１に接続された制御基板６２とを有している。液晶パネル６１は透明電極、スイッチング素子等が形成された２枚の透明基板を平行に配置し、その隙間に液晶を充填した構成を有している。なお、透明基板にはカラーフィルター、配向膜、偏光膜等も配置されている。そして、２枚の透明基板のそれぞれに設けられた透明電極間の電圧を調整することで、液晶の配向方向を調整し、画素ごとの偏光（光の透過度）を調整する。これにより、透過した光によって、前側の透明基板に画像が形成される。制御基板６２は、透明電極に接続されているとともに、スイッチング素子を動作させ、透明基板のそれぞれに設けられた透明電極間の電圧を制御する制御回路を備えている。
【００４９】
ベゼル７は液晶パネル６１の前面の外周縁部を押圧する金属製の枠体である。ベゼル７には液晶セル６の画像表示領域を観察するための開口７０が形成されており、開口７０の外周を囲むように設けられた額縁部７１と、額縁部７１の外周縁部と一体的に設けられた側周部７２とを備えている。額縁部７１は、一体の平板状の部材であり、液晶表示装置Ａの画像表示領域の外周に配置される配線、セルガイドや基板等を見えないように隠す部材でもある。ベゼル７は、リヤフレーム１にねじ止めで固定されている。
【００５０】
基板ホルダ８は、リヤフレーム１の立上部１２の側面で支持部１２１の背後に固定されている。基板ホルダ８は、制御基板６２を保持するための部材である。基板ホルダ８はリヤフレーム１と絶縁されている。また、制御基板６２は、電気信号を液晶パネル６１の透明電極及びスイッチング素子に供給するものであり、制御基板６２と液晶パネル６１の透明電極とは、フレキシブル基板（ＦＰＣ）で接続されている。
【００５１】
次に、本発明の要部である光処理部材４及びセルガイド５について図面を参照して説明する。図２は図１に示す液晶表示装置のバックライトの正面図であり、図３は図２に示すバックライトをIII−III線で切断した断面図であり、図４は図２に示すバックライトをIＶ−IＶ線で切断した断面図であり、図５はセルガイドの第２凸部を拡大した概略図である。図３及び図４では、説明の便宜上、液晶セル６及びベゼル７も表示している。
【００５２】
図２に示すように光処理部材４は、液晶表示装置Ａが利用状態のとき、上部に配置される辺に第１凹部４０１が形成されている。第１凹部４０１は、正面視において（Ｚ方向に見て）、コの字形状であり、光処理部材４の上部の辺と平行な底面４０２と、底面４０２の両端に連設された内周面４０３とを有している。そして、第１凹部４０１は外側が開口した形状を有している。また、第１凹部４０１は、光処理部材４の左右方向（Ｘ方向）の中心線Ｃ１を挟んで対称となる位置に左右に２個ずつ、合計４個設けられている。第１凹部４０１の光処理部材４の側面からの深さは、リヤフレーム１の支持部１２１の正面視の幅よりも小さい。
【００５３】
また、光処理部材４に含まれる拡散板４１及び光学シート４２、４３の両方に第１凹部４０１が形成されている。そして、光学シート４２、４３は拡散板４１の前面にきっちり重なる。
【００５４】
図２に示すように、リヤフレーム１には外周壁から外側に突出した固定部１３が備えられている。一方、側壁部５１には、外部に向けて突出した係止部５０が備えられている。図３に示すように、固定部１３及び係止部５０は、バックライトの２個の長辺に３箇所ずつ、２個の短辺に２個ずつ設けられている。そして、各辺に設けられた固定部１３及び係止部５０は、その辺を垂直に２等分する中心線に対し、対称となる位置に設けられている。図３に示すように、バックライトの長辺において、固定部１３及び係止部５０は、中心線上に１個、長辺の両端の近傍に１個ずつ設けられている。また、バックライトの短辺において、固定部１３及び係止部５０は、短辺の両端の近傍に１個ずつ設けられている。なお、固定部１３及び係止部５０の個数はこれらに限定されるものではなく、セルガイド５をリヤフレーム１にしっかり固定することができるように個数を決定するものであればよい。
【００５５】
図３に示すように、セルガイド５をリヤフレーム１の前側に配置したとき、係止部５０を固定部１３と前後方向に重なるように配置し、ねじ止めすることで、セルガイド５をリヤフレーム１に対してしっかり固定することができる。これにより光処理部材４の前面の外周縁部が、押え部５２と支持部１２１とでしっかり挟持される。
【００５６】
バックライトにおいて、光処理部材４の第１凹部４０１が形成されていない部分では、セルガイド５の側壁部５１がリヤフレーム１の外周壁の外側を覆うように配置される。この側壁部５１は、第１凹部４０１が形成されている部分を除いて、リヤフレーム１の外周壁の全周を覆うので、セルガイド５がずれるのを抑制する効果を奏している。
【００５７】
図４に示すように、セルガイド５の第１凹部４０１と重なる部分には第２凸部５４が設けられている。図４、図５に示すように、第２凸部５４は、押え部５２のリヤフレーム１と対向する面から突出するように形成された板状の部材（リブ）である。図５に示すように、第２凸部５４は正面視（Ｚ方向に見て）コの字型の形状を有している。第２凸部５４は、バックライトの長辺に沿う方向に延びる長尺部５４１と、長尺部５４１の両端部に接続するとともに正面視において（Ｚ方向に見て）長尺部５４１と直交する連設部５４２とを備えている。
【００５８】
図４、図５に示すように、セルガイド５をリヤフレーム１に対して取り付けたとき、第２凸部５４は、光処理部材４の第１凹部４０１と正面視において（Ｚ方向に見て）重なるように配置される。連設部５４２の正面視の（Ｚ方向に見たときの）長さは、支持部１２１の長手方向と直交する方向の長さ（幅）の半分よりも長い。そして、長尺部５４１は支持部１２１の幅方向の中央よりも内側（リヤフレーム１の内側）に配置される。
【００５９】
すなわち、セルガイド５は、押え部５２が光処理部材４の第１凹部４０１以外の部分を押え、光処理部材４の第１凹部４０１が形成されている部分で、第２凸部５４が支持部１２１（リヤフレーム１）と接触している。セルガイド５は、第２凸部５４で押え部５２を支持しており、押え部５２がリヤフレーム１に接近する又は離間するように傾くのを抑制することができる。すなわち、セルガイド５が側壁部５１だけでリヤフレーム１と接触する構成に比べて、安定した姿勢及び力で光処理部材４を押圧することができる。
【００６０】
また、セルガイド５の押え部５２は、長手方向に光処理部材４を押える部分と、押え部５２の傾きを抑制するように支持する第２凸部５４とを備えている。そのため、支持部１２１の幅が狭くても、セルガイド５は、光処理部材４が動いたり、反ったりしないように光処理部材４の外周縁部を押圧することができる。
【００６１】
反射シート２、ＬＥＤランプ３及び基板ホルダ８が取り付けられたリヤフレーム１に光処理部材４及びセルガイド５を取り付けた状態で、別途組み立てられた液晶セル６の液晶パネル６１をセルガイド５のセル保持部５３に載置する。このとき、液晶パネル６１には、フレキシブル基板ＦＰＣを介して制御基板６２が取り付けられており、この制御基板６２を基板ホルダ８に固定する。そして、制御基板６２を基板ホルダ８に固定した後、ベゼル７を液晶パネル６１の画像表示領域の外側の部分を押えるように配置し、ベゼル７をリヤフレーム１に固定する。このとき、ベゼル７の額縁部７１はセルガイド５の前面を覆うように配置しており、正面視において（Ｚ方向に見て）セルガイド５が隠れる。
【００６２】
ベゼル７の額縁部７１の幅が狭くなると、狭い額縁部７１で支持部１２１及びセルガイド５を隠す必要があるため、支持部１２１及びセルガイド５の幅を狭くする必要がある。液晶表示装置Ａのバックライトでは、リヤフレーム１の支持部１２１の幅が狭くても、セルガイド５は、光処理部材４をきっちり押圧することができ、光処理部材４が移動したり、反ったりして光処理部材４を透過した光（面状光）の輝度ムラを抑制できる。これにより、本発明にかかる表示装置の一例である液晶表示装置Ａでは、表示される画像の品質を低下させることなく、狭額縁化することが可能である。
【００６３】
また、一般的な液晶表示装置では、外装筐体の上部に凹形状の把持部が形成されていることが多い。この把持部を持って液晶表示装置を移動させると、バックライトの上部に力が作用し、セルガイド５の押え部５２が光処理部材４から離れる方向に変形しやすくなる。本発明にかかる液晶表示装置Ａでは、第２凸部５４が支持部１２１に接触することで、押え部５２が光処理部材４から離れるのを抑制している。これにより、画像の品質の低下を抑制することが可能である。
【００６４】
なお、液晶表示装置Ａの把持部が上部に形成されている場合、セルガイド５の第２凸部５４及び光処理部材４の第１凹部４０１が、液晶表示装置Ａの使用している状態のときにバックライトの上側に配置される辺に形成されていることが好ましい。しかしながら、これに限定指されるものではなく、光処理部材４の四辺のうち上側に配置される辺以外の辺に第１凹部４０１が形成されていてもよい。この場合も同様に、バックライトからの光の輝度むらによる画像の悪化を抑制することができる。
【００６５】
本実施形態において、第２凸部５４は、板状の部材をコの字状に形成したものとしているが、これに限定されるものではない。例えば、直方体形状に突出するように形成されていてもよい。また、長尺部５４１の中心に連設部５４２を連結させ正面視（Ｚ方向に見て）Ｔ字状に構成したものであってもよい。このとき、連設部５４２は側壁部５１と一体的に接続して形成されていてもよいし、していなくてもよいが、側壁部５１と一体的に接続して形成することで第２凸部５４の強度を上げることができる。
【００６６】
また、第２凸部５４が、支持部１２１が延びる方向と交差する方向に延びる１個のリブだけを有する構成であってもよい。このとき、光処理部材４の第１凹部４０１はリブがきっちり収まる幅であってもよいし、辺に沿う方向に一定の幅を有する構成であってもよい。
【００６７】
（第２実施形態）
本発明にかかる液晶表示装置の他の例を図面を参照して説明する。図６は本発明にかかる液晶表示装置の他の例に用いられるバックライトの正面図である。図６に示すバックライトでは、光処理部材４ｂの四辺の全てに第１凹部４０１が形成されている。また、セルガイド５ｂの四辺に第１凹部４０１と係合する第２凸部５４が形成されている。またこれ以外の部分は、第１実施形態と同じであり、実質上同じ部分には同じ符号を付すとともに、同じ部分の詳細な説明は省略する。
【００６８】
図６に示すように、光処理部材４ｂは、正面視（Ｚ方向に見て）長方形状の四辺の全ての辺に、第１凹部４０１が形成されている。光処理部材４ｂの２個の長辺には、中心軸Ｃ１を挟んで対称となるように左右に２個ずつ形成されている。また、短辺には、中央部分と、中心軸Ｃ１と直交する中心軸Ｃ２を挟んで上下に１個ずつ、合計３個の第１凹部４０１が形成されている。
【００６９】
四辺の全てに第１凹部４０１が形成された光処理部材４ｂ及び四辺に第２凸部５４が形成されたセルガイド５を備えることで、セルガイド５をリヤフレーム１にしっかり取り付けることができるとともに、光処理部材４の変形や移動を確実に抑制することが可能である。
【００７０】
また、液晶表示装置Ａを設置した後に、画像表示領域を見やすくするため、液晶表示装置Ａの角度を変更する場合がある。液晶表示装置Ａの四辺を押す又は引っ張るときにセルガイド５の押え部５２が光処理部材４ｂから離れる方向、すなわち、ねじれる方向に力（モーメント）が付与されて変形しやすくなる。第２凸部５４が押え部５２のねじれ方向に幅を有するため、押え部５２にねじれ方向の力が作用しても第２凸部５４が支持部１２１に接触することで、押え部５２が光処理部材４から離れるのを抑制し、セルガイド５が倒れこむのを抑制できる。
【００７１】
これにより、光処理部材４の変形、ずれを抑制し、バックライトからの光の輝度むらによる画像の悪化を抑制することができる。
【００７２】
なお、図６に示すバックライトでは、各辺に形成された第１凹部４０１の辺における位置は、互いに対辺（図６において上側の辺と下側の辺、右側の辺と左側の辺）に形成された第１凹部４０１と同じ位置となっているがこれに限定されない。第１凹部４０１の位置が対辺で異なる位置であってもよいし、対辺で第１凹部４０１の個数が異なっていてもよい。
【００７３】
また、本実施形態で示したバックライトでは、正面視（Ｚ軸方向に見て）長方形状の光処理部材４の四辺の全てに第１凹部４０１を形成しているが、これに限定されるものではない。例えば、液晶表示装置Ａの使用している状態のときに光処理部材４の四辺の対辺（上側及び下側の辺又は右側及び左側の辺）に第１凹部４０１が形成されていてもよい。また、同様に光処理部材４の隣接する辺（角で交わる辺、例えば、上側の辺と左側の辺、下側の辺と右側の辺等）に第１凹部４０１が形成されていてもよい。この場合も同様に、バックライトからの光の輝度むらによる画像の悪化を抑制することができる。
【００７４】
（第３実施形態）
本発明にかかる液晶表示装置の他の例を図面を参照して説明する。図７は本発明にかかる液晶表示装置の他の例のバックライトの正面図であり、図８は図７に示すバックライトに用いるセルガイドの第２凸部の断面図であり、図９は図７に示すバックライトに用いるセルガイドの第２凸部を拡大した図である。本実施形態にかかる液晶表示装置のバックライトは、セルガイド５ｃの押え部５２に位置決めボスである第２凸部５５が形成されているとともに、リヤフレーム１の支持部１２１に第２凸部５５の係合凸部５５１が挿入される位置決め孔１２３が形成されている。また、光処理部材４ｃに第２凸部５５が係合する、第１凹部４０４が備えられている。これ以外の部分は、第１実施形態で示した液晶表示装置Ａと同じ構成を有しており、実質上同じ部分には、同じ符号を付すとともに、同じ部分の詳細な説明は省略する。
【００７５】
図７に示すように、光処理部材４ｃは、一方の長辺の中央部に他の第１凹部４０１よりも正面視の（Ｚ方向に見て）大きさが小さい第１凹部４０４が設けられている。また、セルガイド５ｃの押え部５２の第１凹部４０４と重なる部分には、第２凸部５５が形成されている。図７、図８に示すように、第２凸部５５は円柱形状である。そして、第２凸部５５は、第１凹部４０４の底面及び内壁面のそれぞれと接触する形状及び大きさで形成されている。
【００７６】
位置決め孔１２３は、円形の貫通孔であり、内径が係合凸部５５１の外径と同じ大きさである。すなわち、係合凸部５５１を位置決め孔１２３に挿入したとき、係合凸部５５１が位置決め孔１２３から抜けるのを抑制することができる。なお、本実施形態では、係合凸部５５１と位置決め孔１２３とが抜けず、また、移動しないように係合するように形成されていればよく、例えば、係合凸部５５１を位置決め孔１２３に圧入するようにしてもよい。また、第２凸部５５自体を位置決め孔１２３に圧入するような構成であってもよい。
【００７７】
そして、リヤフレーム１の支持部１２１に光処理部材４ｃの外周縁部を接触させて配置する。このとき、第１凹部４０４がリヤフレーム１の位置決め孔１２３と前後に重なるように配置する。そして、セルガイド５ｃをリヤフレーム１とで光処理部材４ｃの外周縁部を挟持するように配置する。このとき、第２凸部５５を第１凹部４０４の底面及び内壁面に接触させるとともに、位置決め孔１２３に挿入する。
【００７８】
このように、第２凸部５５の先端の係合凸部５５１を位置決め孔１２３に挿入することで、リヤフレーム１とセルガイド５ｃとの位置決めを行う。そして、第２凸部５５が位置決め第１凹部４０４の底面及び内周面と接触することで、光処理部材４ｃをセルガイド５ｃ及びリヤフレーム１に対して位置決めすることができる。そして、セルガイド５ｃをリヤフレーム１に固定することで、光処理部材４ｃをリヤフレーム１とセルガイド５ｃとで挟持して固定することができる。さらに、液晶セル６はセルガイド５ｃによって保持されて位置決めされるため、光処理部材４ｃと液晶セル６とを相対的に位置決めすることができる。これにより、バックライトからの面状光を正確に液晶セル６に入射させ、画像表示領域に正確に画像を表示することが可能である。
【００７９】
（第４実施形態）
本発明にかかる液晶表示装置のさらに他の例を図面を参照して説明する。図１０は本発明にかかる液晶表示装置のさらに他の例に用いられるバックライトの第２凸部の周囲を拡大した図である。本実施形態にかかる液晶表示装置のバックライトは、セルガイド５ｄに第２凸部５６が形成されているとともに、光処理部材４ｄに第１凹部４０５を備えている。これ以外の部分は、第１実施形態の液晶表示装置Ａに備えたバックライトと同じ構成を有しており、実質上同じ部分には同じ符号を付すとともに、同じ部分の詳細な説明は省略する。
【００８０】
図１０に示すように、光処理部材４ｄの第１凹部４０５は、奥側の面（底面）から手前（開口）に向けて狭くなるような台形状に形成されている。また、セルガイド５ｄには、第１凹部４０５と係合することができるような形状の第２凸部５６が形成されている。第２凸部５６は、長尺部５６１と、長尺部５６１の両端に設けられ長尺部５６１に対して直角以外の角度をなす連設部５６２を備えている。
【００８１】
そして、光処理部材４ｄの前側からセルガイド５ｄを取り付けるとき、長尺部５６１を第１凹部４０５の底面と対向（接触）して配置し、連設部５６２を内壁面と対向（接触）させて配置する。このように配置することで、セルガイド５ｄが光処理部材４ｄの辺と直交する方向で外側に向かって抜けるのを抑制することができる。
【００８２】
光処理部材４ｄが第１凹部４０５を備えているとともに、セルガイド５ｄが第２凸部５６を備えていることで、矩形枠状のセルガイド５ｄを辺ごとに分割して構成しても、きっちり光処理部材４ｄを押えることができる。また、分割した構成のセルガイド５ｄを用いているときに、セルガイド５ｄとリヤフレーム１とを固定しているねじが緩んでも、セルガイド５ｄがずれて、光処理部材４ｄが移動したり反ったりするのを抑制することができる。
【００８３】
また、第２凸部５６として２個のリブを正面視（Ｚ方向に見て）Ｖ字状に接続した構成であってもよい。Ｖ字の折り返し部分は、光処理部材４の内側であってもよいし、外側であってもよい。また、正面視、円、楕円、矩形状であって、第１凹部４０５が形成されている辺に沿う方向の長さが第１凹部４０５の開口部分の辺に沿う方向の長さよりも長い形状の断面を有する柱状の第２凸部であってもよい。第２凸部は第１凹部４０５に配置されたときに第１凹部４０５の内側面と接触するような形状とすることで、光処理部材４の辺に沿う方向の移動を抑制できるので好ましい。
【００８４】
上述の各実施形態において、液晶表示装置として、リヤフレームの底面にＬＥＤランプを二次元配列した背面型のバックライトを例に説明しているが、これに限定されない。導光板を用い、導光板の側面に対向するようにＬＥＤランプを配置するエッジライト型のバックライトを利用してもよい。この場合、光処理部材の拡散板に替えて導光板を用いているものとすることができる。
【００８５】
（第５実施形態）
以下に本発明にかかる液晶表示装置のさらに他の例について図面を参照して説明する。図１１は本発明にかかる液晶表示装置の下側から見た分解斜視図である。なお、図１１に示す液晶表示装置Ｅは、リヤフレーム１ｅ、光処理部材４ｅ及び基板ホルダ８ｅが異なる以外、液晶表示装置Ａと同じ構成を有している。そのため、液晶表示装置Ｅにおいて、液晶表示装置Ａと実質的に同じ部分には、同じ符号を付すとともに、同じ部分の詳細な説明は省略する。
【００８６】
リヤフレーム１ｅは金属板を曲げて形成されたものであり、矩形状のと、底面部１１の四辺から突出した立上部１２とを有している。立上部１２は底面部１１と平行で枠状に形成された支持部１２１と、底面部１１と支持部１２１との間に配置される傾斜部１２２とを備えている。支持部１２１とセルガイド５とは、光処理部材４ｅの外周縁部を挟んで保持する。
【００８７】
リヤフレーム１ｅの四辺に設けられた支持部１２１のうち、液晶表示装置Ｅを使用している状態で下方に配置される支持部１２１は中央部に位置決め孔１２３を備えている。位置決め孔１２３は、支持部１２１の長手方向と同じ方向に延びる長方形状の貫通孔である。
【００８８】
光処理部材４ｅは拡散板４１ｅと、拡散板４１ｅの前面に隣接して配置された光学シート４２ｅ、４３ｅを備えている。なお、光学シートとしては、拡散板４１の前面から出射した光を更に拡散させる拡散シート、光の進行方向を整えて輝度を上昇させる輝度上昇シート等を挙げることができる。また、これらに限定されるものではなく、液晶セル６に入射する光（面状光）の輝度を均斉化するための構造を有するシートを広く採用することができる。さらに、光処理部材４ｅは、２枚の光学シート４２ｅ、４３ｅを備えている構成であるが、これに限定されるものではなく、１枚の光学シートを有するものであってもよいし、３枚以上の光学シートを有するものであってもよい。
【００８９】
拡散板４１ｅ及び拡散板４１ｅと重ねて配置された光学シート４２ｅ、４３ｅとで形成される光処理部材４ｅの背面、すなわち、拡散板４１ｅの背面の外周縁部がリヤフレーム１ｅの支持部１２１と接触している。また、光処理部材４ｅの前面の外周縁部は、セルガイド５（保持部材）と接触している。そして、光処理部材４ｅは、支持部１２１とセルガイド５とで挟まれて保持されている。
【００９０】
基板ホルダ８ｅは、リヤフレーム１の支持部１２１の後に固定されており、制御基板６２を保持する。基板ホルダ８ｅは樹脂の成型体であり、基板ホルダ８ｅに取り付けられている制御基板６２とリヤフレーム１ｅとを絶縁している。また、制御基板６２は、電気信号を液晶パネル６１の透明電極及びスイッチング素子に供給するものであり、制御基板６２と液晶パネル６１の透明電極とは、フレキシブル基板（ＦＰＣ）で接続されている。
【００９１】
次に、本発明の要部であるリヤフレーム１、光処理部材４及び基板ホルダ８について図面を参照して説明する。図１２はバックライトを前面から見た図である。図１３は図１２に示すバックライトをＸＩＩＩ−ＸＩＩＩ線で切断した断面図であり、図１４は図１２に示すバックライトの位置決め部の拡大正面図である。また、図１５は図１２に示すバックライトの位置決め部を拡大した概略斜視図である。
【００９２】
図１２に示すように光処理部材４ｅは、液晶表示装置Ａが使用状態のとき下部に配置される辺に形成された正面視（Ｚ方向に見て）矩形状の張出部４００と、張出部４００の中央に形成された正面視（Ｚ方向に見て）コの字型の第１凹部４００１とを設けている。第１凹部４００１は、光処理部材４の下部の長辺と平行な底面４００２と、底面４００２の両端に連設された内周面４００３とを有している。そして、第１凹部４００１は外側に向かって開口している。また、第１凹部４００１は、光処理部材４の下部の長辺に等間隔をあけて３個配置されている。
【００９３】
なお、本実施形態では、光処理部材４に含まれる拡散板４１ｅ、光学シート４２ｅ、４３ｅが正面視（Ｚ方向に見て）で同じ形状を有し、拡散板４１ｅ、光学シート４２ｅ、４３ｅが前後にきっちり重なる構成としているが、これに限定されるものではない。例えば、張出部４００及び第１凹部４００１はある程度硬さのある拡散板４１ｅのみに形成しておき、光学シート４２ｅ、４３ｅは拡散板４１ｅの張出部４００を除いた正面視（Ｚ方向に見て）長方形状の部分と重なるような大きさ、形状としてもよい。この場合も、光学シート４２ｅ、４３ｅの外周縁部がセルガイド５の押え部５２に押圧されるように、光学シート４２ｅ、４３ｅが形成されている。
【００９４】
リヤフレーム１ｅの位置決め孔１２３は、拡散板４１ｅを正確に配置したとき、第１凹部４００１と重なるように形成されている。
【００９５】
上述したように、基板ホルダ８ｅはリヤフレーム１ｅの支持部１２１の後に配置された部材である。基板ホルダ８ｅは、リヤフレーム１ｅの立上部１２にねじ止め等の従来よく知られた緊結方法で固定されている。そして、基板ホルダ８ｅはリヤフレーム１に取り付けられたとき、位置決め孔１２３を貫通するとともに支持部１２１より突出するように形成された位置決めに用いられる第２凸部８１を備えている。基板ホルダ８ｅは、支持部１２１の背面を１個でカバーするものであってもよいし、適宜分割されるようになっていてもよい。また、位置決め孔１２３及び第２凸部８１を複数個備える構成となっていてもよい。
【００９６】
図１４、図１５に示すように第２凸部８１は、線対称となるように配置された一対の位置決めリブ８１１と、位置決め孔１２３の辺縁部と係合し第２凸部８１が位置決め孔１２３から抜けないように保持する抜け止めリブ８１２とを備えている。
【００９７】
図１４に示すように、位置決めリブ８１１は、正面視において（Ｚ方向に見て）Ｌ字状の形状を有しており、Ｌ字状を構成する一方のリブは位置決め孔１２３の長辺と接触するように配置されており、他方のリブは位置決め孔１２３の短辺と接触するように配置されている。そして、一対の位置決めリブ８１１それぞれの一方のリブは、位置決め孔１２３の同じ長辺と接触するように形成されており、それぞれの他方のリブは、異なる短辺と接触するように形成されている。すなわち、一対の位置決めリブ８１１は、一方のリブと他方のリブとを突き合わせた形状を有しているとともに、突き合わせた角部が位置決め孔１２３の一方の長辺の両端の角部と接触するように配置されている。なお、位置決めリブ８１１は突出方向の先端部分がテーパー状に形成されている。これにより、位置決め孔１２３への挿入、第１凹部４００１との係合を円滑に行うことが可能である。
【００９８】
また、抜け止めリブ８１２は弾性変形可能な形状（厚さ）で形成されているとともに、先端部分に外側に突出した係止部を備えた構成を有している。そして、係止部の外側の部分は先端側が細くなるような傾斜面を備えている。第２凸部８１を位置決め孔１２３に挿入するとき、傾斜面が位置決め孔１２３の周側部に押されて抜け止めリブ８１２が弾性変形する。そして、抜け止めリブ８１２が一定量突出することで、傾斜面を含む係止部が位置決め孔１２３の辺縁部と係合し、第２凸部８１の抜け止めがなされる。第２凸部８１を位置決め孔１２３から抜くときには、係止部が位置決め孔１２３を通過できるように抜け止めリブ８１２を弾性変形させることで行われる。なお、第２凸部８１が位置決め孔１２３から抜けないように、基板ホルダ８がリヤフレーム１に取り付けられている場合、抜け止めリブ８１２を省略してもよい。
【００９９】
液晶表示装置Ｅの組み立ては、次の手順で行われる。なお、リヤフレーム１ｅには予め反射シート２及びＬＥＤランプ３が取り付けられているものとする。まず、第２凸部８１が位置決め孔１２３を貫通するように、リヤフレーム１の立上部１２の傾斜部１２２の外側で支持部１２１の後側に基板ホルダ８を取り付ける。このとき、基板ホルダ８ｅは傾斜部１２２の外面及び支持部１２１の後面と接触して配置されるとともに、ねじＢｔで傾斜部１２２に固定される。
【０１００】
そして、第２凸部８１が支持部１２１から突出している状態で、第１凹部４００１を第２凸部８１と係合させるとともに、外周縁部が支持部１２１に支持されるように光処理部材４ｅをリヤフレーム１ｅの前側に配置する。第１凹部４００１の底面４００２と内周面４００３とで形成される角部を第２凸部８１の位置決めリブ８１１の角部と接触させることで、光処理部材４ｅは、基板ホルダ８ｅ、すなわち、リヤフレーム１ｅに対して位置決めされる。
【０１０１】
このように、位置決めリブ８１１の一方のリブが第１凹部４００１の底面４００２と接触することで、光処理部材４ｅの短手方向の移動が規制される、つまり、短手方向に位置決めされる。また、一対の位置決めリブ８１１の他方のリブが第１凹部４００１の内周面４００３のそれぞれと接触し、光処理部材の長手方向の移動が規制される、つまり、長手方向に位置決めされる。なお、光処理部材４ｅを配置するとき、拡散板４１ｅから先にリヤフレーム１に配置し、その後、光学シート４２ｅ、４３ｅを拡散板４１ｅの前面に重ねて配置してもよい。また、予め拡散板４１ｅと光学シート４２ｅ、４３ｅを重ねた状態で、リヤフレーム１ｅに配置してもよい。
【０１０２】
その後、押え部５２が光処理部材４ｅの前面の外周縁部を押えるとともに、側壁部５１がリヤフレーム１ｅの外周を囲むようにセルガイド５を配置し、固定部１３と係止部５０とをねじ止めして、セルガイド５とリヤフレーム１ｅとを固定する。これにより、セルガイド５の押え部５２が光処理部材４ｅの外周縁部を支持部１２１に押し付け、光処理部材４ｅは移動したり、変形したりしないように、しっかり保持される。
【０１０３】
そして、別途組み立てられた液晶セル６の液晶パネル６１をセルガイド５のセル保持部５３に載置する。このとき、液晶パネル６１には、フレキシブル基板ＦＰＣを介して制御基板６２が取り付けられており、この制御基板６２を基板ホルダ８ｅに固定する。そして、制御基板６２を基板ホルダ８ｅに固定した後、ベゼル７を液晶パネル６１の画像表示領域の外側の部分を押えるように配置し、ベゼル７をリヤフレーム１ｅに固定する。このとき、ベゼル７の額縁部７１はセルガイド５の前面を覆うように配置しており、正面視において（Ｚ方向に見て）セルガイド５を隠す。
【０１０４】
以上示したように、液晶表示装置Ｅでは、リヤフレーム１ｅと光処理部材４ｅ、液晶セル６を正確に位置決めすることができるので、バックライトからの光を正確に液晶セル６に入射させることができる。これにより、液晶表装置Ｅの画像表示領域で表示される画像の品質を高く維持することが可能である。また、本発明にかかる液晶表示装置Ｅでは、リヤフレーム１ｅの支持部１２１に位置決め孔１２３を形成するだけでよく、従来のような切り曲げや塑性加工等の加工が不要となり、これらの加工に必要な金型及び加工を省略することができる。基板ホルダ８ｅに第２凸部８１を形成する必要があるが、基板ホルダ８ｅは樹脂の成型品であるため、第２凸部８１の有無にかかわらず成形金型が必要であり、第２凸部８１を製造するために別途金型を必要としない。そのため、金型設計及び製作に要するコストを削減することが可能である。
【０１０５】
また、従来のようにリヤフレーム１ｅの塑性加工を利用する場合、鋭利な切断端面が光処理部材４ｅに直接接触してしまう。このような状態で、液晶表示装置に振動や衝撃が加えられると、その切断端面の部分で応力が集中しやすく、光処理部材４ｅが削れたり破損したりする恐れがある。本発明にかかる液晶表示装置Ｅでは、樹脂で形成された基板ホルダ８ｅと一体的に形成された、すなわち、樹脂の第２凸部８１を利用しているため、鋭利な切断端面で光処理部材４ｅが傷つけられるのを抑制することが可能である。すなわち、金属を曲げて形成したリヤ―フレーム１ｅの場合、電磁波及び（又は）静電気対策が可能であり、上述のように、光処理部材４ｅは切断端面と直接接触しないので、光処理部材４ｅが削れるのを抑制することができる。
【０１０６】
なお、第２凸部８１の位置決めリブ８１１が、一定の範囲で弾性変形可能に形成されていてもよい。通常の組み付け時には、変形せずにリヤフレーム１ｅと光処理部材４ｅとを位置決めし、液晶表示装置Ｅに衝撃や振動が作用したときは、弾性変形させる。このようにすることで、光処理部材４ｅの変形や破損を抑制する効果をより高めることが可能である。
【０１０７】
本実施形態において、第１凹部４００１を含む張出部４００及び第２凸部８１が１個設けられているが、これに限定されるものではなく、正確に位置決めできる個数であれば１個に限定されない。例えば、液晶パネル６１が大きいときは、複数個設けられていてもよい。なお、第１凹部４００１を含む張出部４００及び第２凸部８１は１辺に複数個設けられていてもよいし、複数の辺に備えられていてもよい。また、複数の辺のそれぞれに複数個設けられていてもよい。
【０１０８】
（第６実施形態）
本発明にかかる液晶表示装置の他の例を図面を参照して説明する。図１６は本発明にかかる液晶表示装置の他の例の位置決め部を拡大した図である。本実施形態の液晶表示装置Ｆは、位置決め部８２が異なる以外は第５実施形態の液晶表示装置Ｅと同じ構成を有するものであり、実質上同じ部分には同じ符号を付すとともに、同じ部分の詳細な説明は省略する。
【０１０９】
図１６に示すように、位置決め部８２は第１凹部４００１の底面４００２と接触する長尺部８２１と、長尺部８２１を挟んで長手方向に一対に設けられた側支持部８２２とを設けられている。長尺部８２１は位置決め孔１２３の長辺と接触するとともに、第１凹部４００１の底面４００２と接触する。これにより、光処理部材４の短手方向の位置決めがなされる。また、一対の側支持部８２２は、位置決め孔１２３の短辺のそれぞれと接触するとともに、内周面４００３のそれぞれと接触する。これにより、光処理部材４ｅの長手方向の位置決めがなされる。
【０１１０】
そして、長尺部８２１及び一対の側支持部８２２を弾性変形可能な構成とすることで、液晶表示装置Ａに振動や衝撃が作用しても、第１凹部４００１に応力集中が発生しにくく、光処理部材４ｅの変形や破損を抑制し、画像品質の低下を抑制することができる。
【０１１１】
これ以外の特徴は、第５実施形態と同じである。
【０１１２】
（第７実施形態）
本発明にかかる液晶表示装置のさらに他の例を図面を参照して説明する。図１７は本発明にかかる液晶表示装置のさらに他の例の位置決め部を拡大した図である。本実施形態の液晶表示装置Ｇは、第２凸部８３が異なる以外は第５実施形態の液晶表示装置Ｅと同じ構成を有するものであり、実質上同じ部分には同じ符号を付すとともに、同じ部分の詳細な説明は省略する。
【０１１３】
図１７に示すように、第２凸部８３は、位置決め孔１２３の長手方向の短辺と接触するように設けられた一対の係合リブ８３１を備えている。一対の係合リブ８３１の先端部分は外側に突出する係止部８３２を備えている。係止部８３２の外側の部分は先端に向かって細くなるような傾斜面を有している。また、一対の係合リブ８３１は弾性変形可能な（弾性的にたわむ）ように形成されている。さらに一対の位置決め部８３１の係止部８３２が突出している面と隣の押え面８３３は、同一平面上に配置される。
【０１１４】
図１７に示すように、第２凸部８３の係合リブ８３１は係止部８３２が内周面４００３の外周縁部の前面と係合すとともに、内周面４００３は係合リブ８３１と接触する。また、係合リブ８３１の押え面８３３が第１凹部４００１の底面４００２と接触する。このように、係止部８３２が内周面４００３の辺縁部の前面と係合することで、光処理部材４が前側に移動するのを抑制することができる。また、内周面４００３が係合リブ８３１と接触することで光処理部材４は長手方向に移動が規制される、すなわち、長手方向に位置決めされる。また、底面４００２が押え面８３３と接触することで、光処理部材４は短手方向の移動が規制さ有れる、すなわち、短手方向に位置決めされる。
【０１１５】
また、光処理部材４ｅをリヤフレーム１の支持部１２１に配置するとき、第１凹部４００１の辺縁部で係止部８３２の傾斜面を押し、係合リブ８３１を内側に弾性変形させる。そして、係止部８３２が光処理部材４ｅの前側に移動したとき、係止部８３２が内周面４００３から押されなくなるため、弾性変形していた係合リブ８３１が元の形状に戻る。これにより、係止部８３２が内周面４００３の周縁部に係合する。このように、第２凸部８３を利用することで光処理部材４の取り付け、位置決め、抜け止めを簡単に行うことが可能である。また、係止部８３２が第１凹部４００１の内側に入るように係合リブ８３１を変形させることで、光処理部材４ｅを容易に取り外すことも可能である。
【０１１６】
これ以外の特徴は、第５実施形態及び（又は）第６実施形態と同じである。
【０１１７】
（第８実施形態）
本発明にかかる液晶表示装置のさらに他の例を図面を参照して説明する。図１８は本発明にかかる液晶表示装置のさらに他の例の位置決め部を拡大した図である。本実施形態の液晶表示装置Ｈは、光処理部材４ｈの第１凹部４００４と第２凸部８４が異なる以外は第１実施形態の液晶表示装置Ａと同じ構成を有するものであり、実質上同じ部分には同じ符号を付すとともに、同じ部分の詳細な説明は省略する。
【０１１８】
図１８に示すように、第２凸部８４は円柱形状のボスである。そして、第１凹部４００４はコの字状を有しており、底面４００５と、底面４００５の両端と接続する一対の内周面４００６とを有している。そして、底面４００５は光処理部材４の長辺と平行であり、内周面４００６は光処理部材４ｈの短辺と平行である。
【０１１９】
第１凹部４００４の内部に第２凸部８４を挿入して、支持部１２１に光処理部材４を配置する。このとき、第２凸部８４は、第１凹部４００４の底面４００５及び一対の内周面４００６と接触する。このように、第１凹部４００４の３面が円柱状の第２凸部８４と接触することで、光処理部材４ｈは、長手方向及び短手方向に移動が規制され、位置決めされる。
【０１２０】
本実施形態のように、第２凸部８４が円柱形状である場合、第１凹部４００４の３面と線で接触する構成であるため、光処理部材４ｈの第２凸部８４を中心とした回転を規制することが難しい。そのため、第２凸部８４及び第１凹部４００４は、２個以上備えていることが好ましい。
【０１２１】
なお、第１凹部として本実施形態の第２凸部８４と面接触する、すなわち、曲面状の内周面を有する形状であってもよい。また、本実施形態の第２凸部８４は円柱形状としているが、これに限定するものではなく、断面多角形の柱状であってもよい。このような場合、第１凹部の形状も第２凸部８４の断面に合わせて形成されていることが好ましいが、少なくとも３箇所で位置決め部と接触するような形状を広く採用することができる。
【０１２２】
これ以外の特徴は、第５実施形態〜第７実施形態と同じである。
【０１２３】
上述の各実施形態において、液晶表示装置として、リヤフレームの底面にＬＥＤランプを二次元配列した背面型のバックライトを例に説明しているが、これに限定されない。導光板を用い、導光板の側面に対向するようにＬＥＤランプを配置するエッジライト型のバックライトを利用してもよい。この場合、光処理部材の拡散板の代わりに導光板を用いているものとすることができる。
【０１２４】
(第９実施形態)
本発明にかかる液晶表示装置のさらに他の例について図面を参照して説明する。図１９は本発明にかかる液晶表示装置のさらに他の例の上側から見た分解斜視図であり、図２０は図１９に示す液晶表示装置のバックライトの正面図である。また、図２１は図１９に示す液晶表示装置のリヤフレーム、光処理部材及びセルガイドの分解斜視図である。なお、図１８に示す液晶表示装置Ｉは、リヤフレーム１ｉ、光処理部材４ｉ及びセルガイド５ｉが異なる以外は、液晶表示装置Ａと同じ構成を有している。そのため、液晶表示装置Ｉにおいて、液晶表示装置Ａと実質的に同じ部分には、同じ符号を付すとともに、同じ部分の詳細な説明は省略する。
【０１２５】
リヤフレーム１ｉは金属板を曲げて形成されたものであり、矩形状の底面部１１と、底面部１１の四辺から突出した立上部１２とを有している。立上部１２は底面部１１と平行で枠状に形成された支持部１２１と、底面部１１と支持部１２１との間に配置される傾斜部１２２とを備えている。
【０１２６】
リヤフレーム１ｉの四辺に設けられた支持部１２１のうち、液晶表示装置Ｉを使用している状態で上方に配置される支持部１２１は外側に、すなわち、傾斜部１２２と反対側に突出する拡幅部１２４を備えている。なお、リヤフレーム１ｉには、中央部に１個、左右に３個ずつ合計７個の拡幅部１２４が設けられている。支持部１２１は、拡幅部１２４で幅広になっている。
【０１２７】
光処理部材４ｉは拡散板４１ｉと、拡散板４１ｉの前面に隣接して配置された光学シート４２ｉ、４３ｉを備えている。拡散板４１ｉ及び拡散板４１ｉと重ねて配置された光学シート４２ｉ、４３ｉとで形成される光処理部材４ｉの背面、すなわち、拡散板４１ｉの背面の外周縁部がリヤフレーム１ｉの支持部１２１と接触している。また、光処理部材４ｉの前面の外周縁部は、セルガイド５ｉ（保持部材）と接触している。そして、光処理部材４ｉは、支持部１２１とセルガイド５ｉとで挟まれて保持されている。
【０１２８】
光処理部材４ｉの拡幅部１２４と対応する部分は、側部から外側に突出する第１凸部４１０を備えている。なお、第１凸部４１０は、強度が高い拡散板４１ｉにだけ形成されているものとしているが、これに限定されず、光学シート４２ｉ、４３ｉにも形成されていてもよい。光処理部材４ｉの外周縁部を支持部１２１に配置したとき、前面視において（Ｚ方向に見て）、第１凸部４１０が拡幅部１２４と重なるように形成されている。また、第１凸部４１０の先端部は、拡散板４１ｉの側面と平行な面を有するように形成されている。なお、拡幅部１２４とセルガイド５ｉの後述する嵌合部５７（第２凹部）とでしっかり保持することができる場合、第１凸部４１０は省略してもよい。
【０１２９】
セルガイド５ｉは、リヤフレーム１ｉの支持部１２１が構成する四辺形の各辺と対応する部分に分割可能な構成を有している。セルガイド５ｉは、液晶表示装置Ｉを使用状態にしたとき、上辺に配置される第１パーツ５０１、下辺に配置される第２パーツ５０２、左右に配置される第３パーツ５０３及び第４パーツ５０４に分割される。
【０１３０】
そして、第２パーツ５０２、第３パーツ５０３及び第４パーツ５０４は、それぞれ、側壁部５１、押え部５２及びセル保持部５３を備えており、押え部５２で光処理部材４ｉの外周縁部を押えるとともに、側壁部５１を立上部１２の側部にねじ止めすることで固定される。第１パーツ５０１には、側壁部５１、押え部５２及びセル保持部５３に加えてリヤフレーム１ｉの支持部１２１に設けられた拡幅部１２４に外嵌する嵌合部５７が設けられている。
【０１３１】
また、第１パーツ５０１の側面は、側壁部５１と嵌合部５７とを交互に配置した構成を有しており、支持部１２１の拡幅部１２４が形成されていない部分は、側壁部５１が立上部１２の側面と接触する。
【０１３２】
以下に本発明の要部であるセルガイド５ｉの第１パーツ５０１について図面を参照して説明する。図２２はリヤフレームの拡幅部とセルガイドの嵌合部との嵌合を示す拡大した分解斜視図であり、図２３は液晶表示装置の拡幅部の概略断面図であり、図２４は液晶表示装置の拡幅部以外の部分の概略断面図である。
【０１３３】
図２０、図２２に示すように、拡幅部１２４は、正面視において（Ｚ方向に見て）、外側（先端側）が細い台形状に形成されている。拡幅部１２４は金属板を折り曲げて形成した側部を有しており、この折り曲げた側部を形成することで拡幅部１２４の強度を高めて、変形を抑制している。また、拡幅部１２４には、位置決め用孔１２５と、固定用孔１２６とを備えている。
【０１３４】
嵌合部５７は、液晶表示装置Ｉの厚さ方向（Ｚ方向）に凹んだ第２凹部であり、第１パーツ５０１を支持部１２１に取り付けるとき、拡幅部１２４を外嵌する。嵌合部５７は、支持部１２１と対向する部分より突出する（Ｚ方向）とともに拡幅部１２４と接触して第１パーツ５０１を支持する支持リブ５７１と、支持リブ５７１と一体に形成され支持リブ５７１よりも長く突出した位置決めボス５７２とを備えている。また、嵌合部５７の支持部１２１と対向する部分には、支持リブ５７１よりも内側から突出し、支持リブ５７１と同じ突出長さの保持リブ５７３が備えられている。さらに、嵌合部５７には、正面視において（Ｚ方向に見て）、固定用孔１２６と重なる位置にねじ止め用孔５７４が備えられている。
【０１３５】
図２２、図２３に示すように、支持リブ５７１は、嵌合部５７のリヤフレーム１ｉと対向する面から突出した板状の部材である。また、支持リブ５７１及び保持リブ５７３は、セルガイド５ｉの第１パーツ５０１の長手方向に延びるリブであり、支持リブ５７１と保持リブ５７３は、第１パーツ５０１の長手方向と交差する方向に配列されている。これにより、嵌合部５７は第１パーツ５０１の長手方向に一定の接触長さを有するとともに、短手方向に一定の幅をあけて配置された支持リブ５７１と保持リブ５７３とが拡幅部１２４と接触する。すなわち、嵌合部５７と拡幅部１２４とが長手方向及び短手方向の両方に一定の幅を有して接触しており、このことから、第１パーツ５０１がリヤフレーム１ｉの支持部１２１に安定して取り付けられる。
【０１３６】
図２１、図２２、図２３に示すように、位置決めボス５７２とねじ止め用孔５７４を形成する筒状の部分は、第１パーツ５０１の長手方向に並んで配置されている。そして、位置決めボス５７２とねじ止め用孔５７４とが支持リブ５７１と一体に形成されている。このように形成されていることで、支持リブ５７１、位置決めボス５７２及びねじ止め用孔５７４を相互に補強している。
【０１３７】
液晶表示装置Ｉでは、反射シート、ＬＥＤランプを配置したリヤフレーム１ｉの支持部１２１に光処理部材４ｉを配置した状態で、セルガイド５ｉの第１パーツ５０１〜第４パーツ５０４のそれぞれを対応する支持部１２１の対応する辺に取り付ける。なお、図示を省略しているが、第１パーツ５０１〜第４パーツ５０４はねじ止め等で連結可能な構成を有している。ここでは、別々に取り付けるものを例に挙げているが、予め枠状に組み立てたセルガイド５ｉをリヤフレーム１ｉに取り付けるようにしてもよい。
【０１３８】
液晶表示装置Ｉでは、光処理部材４ｉは、薄い板状であるため、組立時の空気の流れやねじ止め時等に発生する力でずれてしまうことがある。光処理部材４ｉがずれてしまうと、バックライトからの光にむらが発生しやすく表示画像の品質低下の恐れがある。とくに、支持部１２１が狭い場合、支持部１２１とセルガイド５ｉとの接触部分を十分に確保することが難しい。そのため、セルガイド５ｉが支持部１２１に対してずれやすく（安定して取り付けられにくく）、光処理部材４ｉがずれやすい。
【０１３９】
そこで、支持部１２１で側面が支持されるように光処理部材４ｉを配置した後、まず、第１パーツ５０１を取り付ける。第１パーツ５０１は拡幅部１２４と重なる部分で、支持リブ５７１、保持リブ５７３及びねじ止め用孔５７４を形成する筒状部分が拡幅部１２４と接触し、拡幅部１２４とずれている部分で、側壁部５１が立上部１２の側面と接触する。
【０１４０】
そして、嵌合部５７の位置決めボス５７２を位置決め用孔１２５に挿入することで、第１パーツ５０１を支持部１２１に対して正確な位置に取り付けることができる。また、第１パーツ５０１を位置決めするときに、光処理部材４ｉの第１凸部４１０が嵌合部５７（第２凹部）に収容される。第１凸部４１０の側面が保持リブ５７３と接触し、光処理部材４ｉが第１パーツ５０１に対して、すなわち、支持部１２１に対しても正確に位置決めされる。そして、第１パーツ５０１のねじ止め用孔５７４と固定用孔１２６とをねじ止めする（不図示）ことで、第１パーツ５０１を支持部１２１に固定するとともに、支持部１２１と第１パーツ５０１とで光処理部材４ｉの一辺を正確な位置に保持する。
【０１４１】
第１パーツ５０１の各嵌合部５７では、位置決めボス５７２が位置決め用孔１２５に挿入されている。これにより、ねじ止め時の力（トルク）が第１パーツ５０１に作用しても、位置決めボス５７２と位置決め用孔１２５でトルクに対抗する。そのため、ねじ止め時のトルクが光処理部材４ｉに伝達されにくく、光処理部材４ｉがずれにくい。また、拡幅部１２４と嵌合部５７とで第１凸部４１０を挟持するため、セルガイド５ｉと支持部１２１とで挟持する光処理部材４ｉの面積が大きくなるため、光処理部材４ｉは、セルガイド５ｉと支持部１２１とでしっかり保持される。
【０１４２】
その後、第２パーツ５０２、第３パーツ５０３及び第４パーツ５０４をそれぞれ取り付けるとともに、各パーツの側壁部５１を立上部の側面にねじ止め（不図示）する。このとき、光処理部材４ｉは、第１パーツ５０１に保持されているので、各パーツの取り付け時にずれたり、変形したりしにくい。以上により、本発明にかかる液晶表示装置Ｉでは、安定した画質の画像を表示することができるとともに、狭額縁化が可能である。
【０１４３】
また、一般的な液晶表示装置では、外装筐体の上部に凹形状の把持部が形成されていることが多い。この把持部を持って液晶表示装置を移動させると、バックライトの上部に力が作用し、セルガイド５ｉの押え部５２が光処理部材４ｉから離れる方向に変形しやすくなる。本発明にかかる液晶表示装置Ｉでは、嵌合部５７の支持リブ５７１及び保持リブ５７３を拡幅部１２４に接触する構成であり、押え部５２が光処理部材４ｉから離れるのを抑制している。これにより、画像の品質の低下を抑制することが可能である。
【０１４４】
これ以外の特徴については、上述の各実施形態と同じ特徴を有している。
【０１４５】
本実施形態にかかる液晶表示装置Ｉでは、使用状態のときにリヤフレーム１ｉの支持部１２１の上側の辺を構成する部分に拡幅部１２４を形成し、光処理部材４ｉの上側の辺の拡幅部１２４と重なる位置に第１凸部４１０を形成している。さらに、セルガイド５ｉの上側の辺を構成する第１パーツ５０１に拡幅部１２４及び第１凸部４１０と重なる位置に嵌合部５７（第２凹部）を備えている。しかしながら、これに限定されるものではなく、拡幅部１２４、第１凸部４１０及び嵌合部５７を他の辺を構成する部分に設けてもよいし、複数の辺（例えば、対辺や隣接する辺）又は全ての辺を構成する部分に設けてもよい。
【０１４６】
以上、本発明の実施形態について説明したが、本発明はこの内容に限定されるものではない。また本発明の実施形態は、発明の趣旨を逸脱しない限り、種々の改変を加えることが可能である。また、上記各実施形態は適宜組み合わせて実施することも可能である。
【符号の説明】
【０１４７】
Ａ〜Ｉ  液晶表示装置
１、１ｅ、１ｉ  リヤフレーム
１１  底面部
１２  立上部
１２１  支持部（支持部材）
１２２  斜面部
１２４  拡幅部
１２５  位置決め用孔
１２６  固定用孔
１３  固定部
２  反射シート
３  ＬＥＤランプ
４、４ｂ〜４ｉ  光処理部材
４１  拡散板
４２、４３  光学シート
５、５ｂ〜５ｉ  セルガイド（保持部材）
５１  側壁部
５２  押え部
５３  セル保持部
５４  第２凸部
５４１  長尺部
５４２  連設部
５５  第２凸部
５５１  係合凸部
５６  第２凸部
５６１  長尺部
５６２  連設部
５７  嵌合部（第２凹部）
５７１  支持リブ
５７２  位置決めボス
５７３  保持リブ
５７４  ねじ止め用孔
６  液晶セル
６１  液晶パネル
６２  制御基板
７  ベゼル
７０  開口
７１  額縁部
７２  側周部
８、８ｅ  基板ホルダ
【図１】
2016029470.tif 000003
【図２】
2016029470.tif 000004
【図３】
2016029470.tif 000005
【図４】
2016029470.tif 000006
【図５】
2016029470.tif 000007
【図６】
2016029470.tif 000008
【図７】
2016029470.tif 000009
【図８】
2016029470.tif 000010
【図９】
2016029470.tif 000011
【図１０】
2016029470.tif 000012
【図１１】
2016029470.tif 000013
【図１２】
2016029470.tif 000014
【図１３】
2016029470.tif 000015
【図１４】
2016029470.tif 000016
【図１５】
2016029470.tif 000017
【図１６】
2016029470.tif 000018
【図１７】
2016029470.tif 000019
【図１８】
2016029470.tif 000020
【図１９】
2016029470.tif 000021
【図２０】
2016029470.tif 000022
【図２１】
2016029470.tif 000023
【図２２】
2016029470.tif 000024
【図２３】
2016029470.tif 000025
【図２４】
2016029470.tif 000026